(57)【特許請求の範囲】
【請求項１】
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の幅方向に位置する両側枠へその回動基部を回動縦軸によりそれぞれ取り付けて前記船体が進行する前後方向へ回動自在とし、前記接続枠体の通路を通船しないとき該接続枠体の通路を閉塞する観音開き状の一対の扉体と、これら一対の扉体において該一対の扉体の内端部側へそれぞれ突設させて前記船体の進行方向先端部が当接する押圧体と、前記一対の扉体にそれぞれ設けた閉扉手段とを備えさせ、
前記押圧体は、前記一対の扉体の前方へそれぞれ取付部材により張り出させて設けてあり、
前記一対の扉体には、該一対の扉体へ浮力を与える浮き子部材を取り付けてあって、この浮き子部材は、少なくともその全部が水中に埋没した状態で取り付けられたことを特徴とする通船ゲート装置。
【請求項２】
一対の扉体は、その上部と下部とを接続枠体の両側枠へ上球面座軸受および下球面座軸受を介して、上回動縦軸および下回動縦軸によりそれぞれ取り付けてあって、
これら上回動縦軸および下回動縦軸は、これら上回動縦軸および下回動縦軸を結ぶ軸線に対して、傾斜自在に設けられたことを特徴とする請求項１記載の通船ゲート装置。
【請求項３】
一対の扉体には施錠・開錠手段が設けられていて、
該施錠・開錠手段は、前記一対の扉体においてその一方の扉体に該扉体の上回動縦軸および下回動縦軸側とは反対側へ突設させた操作手段と、この操作手段の他端部へ取り付けて押圧体より先に船体の進行方向先端部が当接する受動体と、前記操作手段に取り付けた移動自在の移動体と、この移動体に取り付けた係合体と、前記一対の扉体における他方の扉体に設けて前記係合体と係脱自在となる係止突体とを有し、
前記係合体は、前記移動体へ回動軸により回動自在に取り付けられ、その一側部に前記係止突体に当接して該係合体を回動させる跳ね上げ部材を設けてなり、
この跳ね上げ部材は、半円形以上の面積を有する略Ｕの字状に形成させたことを特徴とする請求項１記載の通船ゲート装置。
【発明の詳細な説明】
【技術分野】
【０００１】
本発明は、貯水池，ダム湖等の網場に設けた通船ゲート装置に関する。
【背景技術】
【０００２】
現今、貯水池やダム湖等においては、その放水門側等への塵芥や流木が流出しないように、水面および水面下の所定深さを網場と呼ばれる網状の仕切帯によって仕切らせて、これにより前記塵芥や流木がその下流側に流出することがないように防止している。
【０００３】
また、この貯水池やダム湖等の水上は、該全所へ隈なく集塵船や巡視船が行き来する必要性を有するため、この網場はその適所において通船ゲートが設けられていて、該通船ゲートは、通船時に開門させて該船が往来ができるようにされている。
【０００４】
従来の通船ゲートは、貯水池やダム湖等に張設した網場の途中に、空所を有するゲート枠体により観音開き状に開閉する扉を支持させてある。（例えば、特許文献１参照。）
【０００５】
【特許文献１】特開２００２−２１０５４公報
【０００６】
しかしながら、船体の推進力により一対の扉８０を開閉させる動作は、船体が前進すると、図１７に示すように、一対の扉８０ａ，８０ｂが水の抵抗を受けて観音扉状に円滑には開かず、どちらか容易に開く、例えば、扉８０ｂ側に船体８１が振れて蛇行移動したり偏ったりして通船できないことがあり、この状態において船体８１の推進力によって無理に通過しようとすると、通船ゲート８２を破損することがあった。
更に、このように、一方の扉しか開かないため、塵芥整備用の双胴船の通過にあっては、該船幅が広いことから、一層、この通船ゲート８２を使用することができないものであった。
【発明の開示】
【発明が解決しようとする課題】
【０００７】
本発明は、前記した問題点を解決するためになされたもので、接続枠体の通路内にこの接続枠体の幅方向に位置する両側枠へその回動基部を回動縦軸によりそれぞれ取り付けて船体が進行する前後方向へ回動自在とし、接続枠体の通路を通船しないとき該接続枠体の通路を閉塞する観音開き状の一対の扉体を設けて、これら一対の扉体において該一対の扉体の内端部側へそれぞれ船体の進行方向先端部が当接する押圧体を突設させて、一対の扉体にそれぞれ閉扉手段を設けることにより、船体の先端部が当接しかつ船体の進行によって、一対の扉体の両方を確実に開放することができる通船ゲート装置を提供することを目的としている。
【課題を解決するための手段】
【０００８】
前記した目的を達成するための本発明の手段は、
貯水池，ダム湖等の水面部に張設された網場の途中に介在させて、前記水面部を通行する船体に干渉しない幅と深さを有して前記網場に前記船体の通路を形成する接続枠体と、該接続枠体の通路内に設けてこの接続枠体の幅方向に位置する両側枠へその回動基部を回動縦軸によりそれぞれ取り付けて前記船体が進行する前後方向へ回動自在とし、前記接続枠体の通路を通船しないとき該接続枠体の通路を閉塞する観音開き状の一対の扉体と、これら一対の扉体において該一対の扉体の内端部側へそれぞれ突設させて前記船体の進行方向先端部が当接する押圧体と、前記一対の扉体にそれぞれ設けた閉扉手段とを備えさせ、
前記押圧体は、前記一対の扉体の前方へそれぞれ取付部材により張り出させて設けてあり、
前記一対の扉体には、該一対の扉体へ浮力を与える浮き子部材を取り付けてあって、この浮き子部材は、少なくともその全部が水中に埋没した状態で取り付けられた通船ゲート装置の構成にある。
【０００９】
一対の扉体は、その上部と下部とを接続枠体の両側枠へ上球面座軸受および下球面座軸受を介して、上回動縦軸および下回動縦軸によりそれぞれ取り付けてあって、
これら上回動縦軸および下回動縦軸は、これら上回動縦軸および下回動縦軸を結ぶ軸線に対して、傾斜自在に設けられる。
【００１０】
一対の扉体には施錠・開錠手段が設けられていて、
該施錠・開錠手段は、前記一対の扉体においてその一方の扉体に該扉体の上回動縦軸および下回動縦軸側とは反対側へ突設させた操作手段と、この操作手段の他端部へ取り付けて押圧体より先に船体の進行方向先端部が当接する受動体と、前記操作手段に取り付けた移動自在の移動体と、この移動体に取り付けた係合体と、前記一対の扉体における他方の扉体に設けて前記係合体と係脱自在となる係止突体とを有し、
前記係合体は、前記移動体へ回動軸により回動自在に取り付けられ、その一側部に前記係止突体に当接して該係合体を回動させる跳ね上げ部材を設けてなり、
この跳ね上げ部材は、半円形以上の面積を有する略Ｕの字状に形成させる。
【発明の効果】
【００１１】
前述のように本発明は、接続枠体の通路における船体の通過に際して、その開扉を前記船体の先端部による押し付けだけで簡単に行え、しかも、閉扉も人手を煩わせることがない。
【発明を実施するための最良の形態】
【００１２】
次に、本発明に関する通船ゲート装置の一実施例を図面に基づいて説明する。
図１〜図２および図１０〜図１３においてＡは通船ゲート装置で、貯水池やダム湖などにおける水面部９において、その放水門側等への塵芥や流木等の流出を防止するために設置された網場ｂの適所に設けて、水面部９を集塵船や巡視船などの船体ｃが自由に行き来できるようにしてあるもので、接続枠体１と、一対の扉体２ａ，２ｂと、押圧体３ａ，３ｂと、連動手段４と、閉扉手段Ｗとにより基本的に構成される。
【００１３】
そして、前記した接続枠体１は、貯水池，ダム湖等の水面部９に張設された網場ｂの途中に介在させて、前記水面部９を通行する船体（両舷部と船底部）ｃに干渉しない幅と深さを有していて、この網場ｂに船体ｃの通路ｄを形成するもので、縦長状の一側枠１ａと、この一側枠１ａと対をなす縦長状の一側枠１ｂおよびこれら両側枠１ａ，１ｂとをその下端部において連結した横枠６とからなる正面形状凵型状に形成されている。
また、一側枠１ａおよび一側枠１ｂの上部には、所定広さの踊り場床体７，８を付設してあって、水面部９より所定寸法突出していて、各種の作業や点検等が行える。
更に、この踊り場床体７，８の下側には、接続枠体１に浮力を与えるフロート１０，１１を所定量取り付けてあって、水面部９上に浮遊させる。
【００１４】
前記した一対の扉体２ａ，２ｂは、観音開き状に形成してあって、接続枠体１の通路ｄ内に設けて、この接続枠体１の一側および他側の両側枠１ａ，１ｂの軸受１ａ１，１ｂ１へ、その外側部を回動縦軸１２ａ，１２ｂにより取り付けて通船ｃが進行する前後方向へ、図２において回動軌跡ｒ１，ｒ２に示すように、この回動縦軸１２ａ，１２ｂを中心として回動自在とし、接続枠体１の通路ｄを通船しないとき、該接続枠体１の通路ｄにおける略幅方向と深さ方向を覆って閉塞する。
【００１５】
この一対の扉体２ａ，２ｂは、それぞれが一枚扉状の一体ものに形成された一つの外枠と内棧とからなる枠部材１３ａ，１３ｂと、この枠部材１３ａ，１３ｂの空所へ張設したポリエステル繊維等の網部材１４ａ，１４ｂとからなり、塵芥や流木等の流出を防止すると共に水の流通を良好とさせて、かつ、該扉体２ａ，２ｂの開閉時の水中抵抗を軽減させる。
また、この一対の扉体２ａ，２ｂには、少なくともその全部が水中に埋没した状態で取り付けられた浮き子部材ｇが該一対の扉体２ａ，２ｂと一体的に回動移動し得るように一個または複数個に設けられているもので、これにより、一対の扉体２ａ，２ｂに対して所定の浮力を与えることで、回動縦軸１２ａ，１２ｂと軸受１ａ１，１ｂ１との片持ち支持による一対の扉体２ａ，２ｂの水中での外側部の効果を防止させ、安定した回動運動を与える。この浮き子部材ｇを複数個に設けるときは、一対の扉体２ａ，２ｂにおける船体ｃの通行方向に対してその前後に設けることが好ましい。
更に、その取り付けにあって、図１２，１３に示すように、該一対の扉体２ａ，２ｂの回動外側部（上回動縦軸１２ａ１，１２ｂ１および下回動縦軸１２ａ２，１２ｂ２側とは他側）に設けることで、一対の扉体２ａ，２ｂの回動外側が上回動縦軸１２ａ１，１２ｂ１および下回動縦軸１２ａ２，１２ｂ２を中心（図１６において軸線Ｘ−Ｘを中心）に下方にヘタリそうになるのを上方へ持ち上げる作用が有効に働いて、該浮き子部材ｇの浮力効果を十分に発揮させることができる。
【００１６】
前記した押圧体３ａ，３ｂは、一対の扉体２ａ，２ｂの内側部（回動縦軸１２ａ，１２ｂの他側で接続枠体１の幅方向おける略中央部）において、この一対の扉体２ａ，２ｂの長さ方向と直交する方向の前後へそれぞれ設けて、船体ｃにおける舷側（船体ｃの側部）あるいは船体ｃの進行方向先端部ｃ１（船首あるいは船尾）が当接するもので、この船体ｃにおける舷側（船体ｃの側部）あるいは船体ｃの先端部ｃ１がこの押圧体３ａ，３ｂを押すことで、回動縦軸１２ａ，１２ｂを中心に一対の扉体２ａ，２ｂの開放動作が行われる。
なお、船体ｃの先端部ｃ１は、船体ｃにおける舷側（船体ｃの側部）より上方に位置し、かつ、該船体ｃにおける舷側（船体ｃの側部）より前方へ張り出しているため、この押圧体３ａ，３ｂより後記する受動体２５へ先に当たるように一対の扉体２ａ，２ｂの前後方向に対して前方に配されるように構成されている。
【００１７】
この押圧体３ａ，３ｂは、木製や合成樹脂製による縦長のフロートを用いるもので、一対の扉体２ａ，２ｂの枠部材１３ａ，１３ｂにおける縦支持体１５ａ，１５ｂへそれぞれ、縦長方向に穿設した取付孔１６ａ，１６ｂ（図３においては一方の押圧体３ａのみを示す。）を挿嵌して、その上下方向に対して高さ調整自在に取り付けられ、船体ｃにおける舷側（船体ｃの側部）へ正しく当接できるようにしてある。
すなわち、縦支持体１５ａ，１５ｂには、その上部において押圧体３ａ，３ｂの上端部に対応する位置に係止孔１７，１７…を複数個穿設してあって、この希望する位置の係止孔１７への止め部材１８の選択的取り付けにより、該押圧体３ａ，３ｂの位置決めがなされる。なお、この押圧体３ａ，３ｂはその一部または全部が水面部９より埋没しているためこれに浮力が掛かり、常に、縦支持体１５ａ，１５ｂに沿って上方へ付勢されているため、該下端部に止め部材を設けなくても落下することがない。また、水面部９（喫水線部）付近に設けられるため、より船体ｃにおける舷側（船体ｃの側部）に当接しやすいものである。
【００１８】
また、該押圧体３ａ，３ｂは、一対の扉体２ａ，２ｂの正面に対して接近する船体ｃの前方（一対の扉体２ａ，２ｂの前後）へそれぞれ取付部材６０ａ，６０ｂにより張り出させて設けてあって、枠部材１３ａ，１３ｂに付設した上下の取付片３０，３０へ縦支持体１５ａ，１５ｂにより取り付けられている。この取付片３０，３０は、図４に示すように（一方の扉体２ｂに設けた例を示す）、中心の受孔３１の周りに複数個の調整孔３２，３２…が穿設されていて、この調整孔３２，３２…への縦支持体１５ａ，１５ｂの付け替えにより、押圧体３ａ，３ｂの扉体２ａ，２ｂの側方への張り出し量を適宜調整することができる。
この取付部材６０ａ，６０ｂにより押圧体３ａ，３ｂを一対の扉体２ａ，２ｂの前後へ張り出させることにより、該一対の扉体２ａ，２ｂのその前後方向への傾きやねじれが防止されて、円滑にこの一対の扉体２ａ，２ｂの開閉動作を助長させることができる。更に、取付部材６０ａ，６０ｂができるだけ一対の扉体２ａ，２ｂの前後方向へ大きく張り出すことにより、船体ｃが一対の扉体２ａ，２ｂを押しながら開閉させる動作にあって、この押圧体３ａ，３ｂに船体ｃの押圧力を常に良好な位置において受けさせ、後記する施錠・開錠手段５や操作手段２６等への過剰な押圧力を与えないので、該施錠・開錠手段５や操作手段２６等の損傷をできるだけ抑えることができる。
【００１９】
なお、該押圧体３ａ，３ｂを支持してる取付部材６０ａ，６０ｂは、図２に示すように、平面形状が三角形や、図１３に示すように、平面形状が円形、あるいは図示してない多角形や菱形等任意の形状が選定し得る。
【００２０】
前記した連動手段４は、一対の扉体２ａ，２ｂの回動縦軸１２ａ，１２ｂへ接続させて、これら回動縦軸１２ａ，１２ｂが同調回動することで、該一対の扉体２ａ，２ｂのどちらか一方の回動運動を他の扉体２ａ，２ｂへ伝達させる。
そして、その構成は、例えば、図５に示すように、一対の扉体２ａ，２ｂの回動縦軸１２ａ，１２ｂにおける下端部にそれぞれベベルギア等の歯車１９ａ，１９ｂを取り付け、この歯車１９ａ，１９ｂに噛合する歯車２０ａ，２０ｂを接続枠体１における横枠６へ回転自在に支承した連結軸２１に取り付けてある。
したがって、一方の扉体２ａが回動するとその回動縦軸１２ａが回動し、その回動運動が歯車１９ａ，２０ａを介して連結軸２１に伝わるため、この連結軸２１の他端の歯車２０ｂが回動縦軸１２ｂの歯車１９ｂを介して他方の扉体２ｂを同期的に回動させる。
【００２１】
他の連動手段４として、図６に示すように、一対の扉体２ａ，２ｂの回動縦軸１２ａ，１２ｂにおける下端部にそれぞれスプロケット２２ａ，２２ｂを取り付け、これらスプロケット２２ａ，２２ｂへ綾掛け状（半回転ひねったクロス状）とした無端状のチェーン２３を掛け渡してある。なお、このチェーン２３は、それぞれのスプロケット２２ａ，２２ｂの円周長さ強程度あれば回動伝達を行うことができるので、他の長さ分はワイヤ等の連係部材２４をチェーン２３に接続させた無端状の構成であってもよい。更に、この例にあって、前記スプロケットの替わりにドラム等の回転部材を取り付け、この回転部材にワイヤやベルト等の連係部材を掛け渡してもよい。
【００２２】
なお、この一対の扉体２ａ，２ｂには施錠・開錠手段５が設けられていて、常時は該一対の扉体２ａ，２ｂが施錠状態に保持されて、接続枠体１の通路ｄを閉塞するものであり、また、一方の扉体２ｂに設けた後記する受動体２５に船体ｃが当接したとき、一対の扉体２ａ，２ｂが開錠状態となる。
すなわち、この施錠・開錠手段５は、一対の扉体２ａ，２ｂにおいてその一方の扉体２ｂに該扉体２ｂの回動縦軸１２ｂ側とは反対側へ突設させた操作手段２６と、この操作手段２６の他端部へ取り付けて押圧体３ａ，３ｂより先に船体ｃの進行方向先端部ｃ１が当接する受動体２５と、操作手段２６に取り付けた移動自在の移動体２７と、この移動体２７に取り付けた係合体２８と、一対の扉体２ａ，２ｂにおける他方の扉体２ａに設けて係合体２８と係脱自在となる係止突体２９とを有する。
【００２３】
そして、前記した受動体２５は、図７に示すように、木製や合成樹脂製のフロートを用いて取付部材３５により縦長に設けて、水面部より上方で押圧体３ａ，３ｂより上方に位置し、船体ｃの進行方向先端部ｃ１に対応する位置に後記する操作手段２６によって、扉体２ｂ面に対して前後方向へ移動自在に取り付けられる。また、図１２〜図１４に示すように、その当接面を平滑状に形成させた板状体であってもよい。
【００２４】
前記した操作手段２６は、扉体２ｂを挟んでその両側に設けた受動体２５と移動体２７との間にあってそれぞれに接続されているもので、この受動体２５の取付部材３５へ第一リンク３６の一端部を軸３７により回動自在に取り付け、この第一リンク３６の他端部を軸３８によって移動体２７へ固着された操作体３９に回動に取り付けてある。
また、上支持部材４０へその一端部を軸４１により回動自在に取り付けた第二リンク４２の中間部を軸４３により連結し、該第二リンク４２の他端部を受動体２５の取付部材３５へ添わせて、この他端部をこの取付部材３５面に対して摺動自在に設けてある。なお、第二リンク４２の他端部に回転自在のローラ等の転動部材４４を軸支し、この転動部材３４を取付部材３５へ添わせることで第二リンク４２の摺動移動が円滑となり、第一リンク３６および第二リンク４２の回動案内となる。
【００２５】
更に、操作体３９と上支持部材４０との間に引っ張りばね等の弾性力を有する戻し部材４５を張設してあって、常時は、操作体３９がすなわち後記する移動体２７が上方へ引き上げられるように付勢されていて、受動体２５は第一リンク３６および第二リンク４２によって常時は外方へ張り出すように付勢されている。
【００２６】
前記した移動体２７は、下部を操作体３９により支承され、上部を扉体２ｂに固着した上支持部４０の通孔内において支持されていて、上下方向に対して自在に移動できるようにしてあり、その上端部は、常時は、扉体２ｂにおける枠部材１３ｂの上部より突設している。
【００２７】
前記した係合体２８は、扉体２ｂにおける枠部材１３ｂの上部にあって、移動体２７の上端部においてその一端部の第一係合部材４６を回動軸４７により上下方向に対して回動自在に取り付けられているもので、常時は、この第一係合部材４６の下端部を上支持部材４０の上面へその自重により当接させてあり、かつ、一端部の回動軸４７側が上方に位置する傾斜状態にある。
更に、第一係合部材４６の他端部に平面形状略Ｕ字状に形成した第二係合部材４８を連結してあって、常時は、略水平状態に保持される。
【００２８】
前記した係止突体２９は、扉体２ｂと相対する他の扉体２ａの外側端上部において、係合体２８に対応するように突設させてあるもので、一対の扉体２ａ，２ｂが閉塞状態にあるときは、図８（ａ）に示すように、係合体２８がこの係止突体２９を包囲することで、一対の扉体２ａ，２ｂの回動が規制される。また、図８（ｂ）に示すように、移動体２７の降下に伴って、第一係合部材４６が略水平状態となることで、この第一係合部材４６に付設した第二係合部材４８が上方に持ち上がり、係止突体２９との係合を解除させて一対の扉体２ａ，２ｂの回動を自由に行えるようにする。
【００２９】
なお、図７等に示すように、係合体２８における第二係合部材４８に、係止突体２９の上端部５０に当接して、該係合体２８を回動させる跳ね上げ部材５１を一対の扉体２ａ，２ｂを挟んでその両側へ羽根状に突設させてある。なお、上端部５０には転動自在の球体やローラ等を設けることで、該跳ね上げ部材５１との摺動動作が円滑に行われる。
この跳ね上げ部材５１は、第二係合部材４８から扉体２ｂの外方（扉体２ｂの開閉運動方向なる図２における回動軌跡ｒ１，ｒ２方向）へ向かってそれぞれ一対を上り傾斜となるように一体的に延設してあって、この跳ね上げ部材５１の下面５１ａと係止突体２９の上端部５０とが当接して、扉体２ｂの回動に伴って、係合体２８を回動軸４７を中心として上下方向に回動させることで、この係止突体２９を係合体２８における第二係合部材４８の間（内部）へ円滑に誘導することができる。
【００３０】
すなわち、一対の扉体２ａ，２ｂの開放状態から該扉体２ａ，２ｂの閉塞状態に至る過程において、図９（ａ）に示すように、連動手段４により閉塞状態に至る一対の扉体２ａ，２ｂは、その閉塞移動に伴って、一方の扉体２ａに設けた係合体２８における跳ね上げ部材５１の下面５１ａと他方の扉体２ｂに設けた係止突体２９の上端部５０とが当接する。
更に、一対の扉体２ａ，２ｂの閉塞移動が進行すると、前記下面５１ａと上端部５０との当接により跳ね上げ部材５１が回動軸４７を中心として上方に回動する。
【００３１】
そして、一対の扉体２ａ，２ｂの閉塞直前になると、図９（ｃ）に示すように、上方へ持ち上がった、すなわち、係止突体２９の上端部５０より上方に回動した状態において、第二係合部材４８の間（内部）へ扉体２ａの係止突体２９が入り込むと同時に、係合体２８はその跳ね上げ部材５１と係止突体２９の上端部５０との係合が外れるので、該係合体２８はその自重により回動軸４７を中心として回動降下して、係合体２８の第二係合部材４８は係止突体２９を包持して、一対の扉体２ａ，２ｂの回動移動が規制される、いわゆる施錠状態となる。
【００３２】
また、この跳ね上げ部材５１は、図１３および図１５に示すように、係止突体２９の上端部５０との係合を良好に行うために、半円形以上の面積を有する略Ｕの字状に形成して可及的当接面積を増大させることもできるもので、この跳ね上げ部材５１下面と係止突体２９の上端部５０との係合が回動縦軸１２ａ，１２ｂを中心とした円弧軌跡により行われるための係合不良を、すなわち、係止突体２９の上端部５０と跳ね上げ部材５１下面との係合距離が、両者が係合するまで離れていることに起因する係合不都合を解消することができる。
また、図１５に示すように、第一係合部材４６に付設した第二係合部材４８には扉体２ｂの長さ方向に対して該扉体２ｂの上部に設けた受け部材７２上を転動自在となるローラ部材７３を軸支してあって、移動体２７の昇降に相応して第一係合部材４６の扉体２ｂの長さ方向に対する移動時に第二係合部材４８の移動を円滑に行わせる。
【００３３】
なお、前記した受動体２５，２５は、操作手段２６によって一対の扉体２ａ，２ｂに対して進退する運動を円滑に案内するガイド体３３を付設してあって、操作手段２６による該受動体２５の進退操作時の側方への妄動を防止することもできる。
【００３４】
更に、この受動体２５，２５は船体ｃの舳先（先端部ｃ１）が当たるので、該舳先（先端部ｃ１）の対応する位置に設けられるもので、実際に、船体ｃｂの胴部により一対の扉体２ａ，２ｂを開放させるために当接する押圧体３ａ，３ｂは、この受動体２５，２５の取付位置より下方において一対の扉体２ａ，２ｂに設けられている。そのため、船体ｃによる一対の扉体２ａ，２ｂの開放時には、受動体２５，２５は船体ｃの舳先（先端部ｃ１）から側方へ逃げて干渉しない。その結果、船体ｃの押圧による影響を受けないので損傷を可及的減少させることができる。
【００３５】
前記した閉扉手段Ｗは、開放された一対の扉体２ａ，２ｂを連動手段４，４を介して自動的に閉塞状態に戻すもので、図１および図１０に示すように、一対の扉体２ａ，２ｂにおける枠部材１３ａ，１３ｂの下側部にその基端部５３ａ，５３ｂを固着して吊下したワイヤー等の連係索５４ａ，５４ｂの下端部に重錘５５ａ，５５ｂを固着してある。
また、この連係索５４ａ，５４ｂの途中は、接続枠体１における横枠６へコロ等からなる滑動部材５６ａ，５６ｂを介して横枠６へ摺動自在に係合するように配されている。この滑動部材５６ａ，５６ｂは、一対の扉体２ａ，２ｂが閉塞されているとき、それぞれの枠部材１３ａ，１３ｂの内端部にできるだけ近い位置に設けることで、該一対の扉体２ａ，２ｂの閉塞動作が円滑に行われる。
【００３６】
これにより、通路ｄを開放した一対の扉体２ａ，２ｂは、押圧体３ａ，３ｂと船体ｃとの接触が解除された後は、重錘５５ａ，５５ｂの重量により連係索５４ａ，５４ｂを介し、滑動部材５６ａ，５６ｂを経て一対の扉体２ａ，２ｂにおける枠部材１３ａ，１３ｂを引っ張るので、接続枠体１の外側方へ開いた一対の扉体２ａ，２ｂは、横枠６においてその閉塞位置の近傍に設けた滑動部材５６ａ，５６ｂへ向かって引き寄せられ、ついには、横枠６と平行となる閉塞状態に戻される。
なお、この閉扉手段Ｗ，Ｗは、一対の扉体２ａ，２ｂと接続枠体１とに張設した戻しばね（図示せず）を用いてもよい。
【００３７】
したがって、前記のように構成される本発明の実施例の通船ゲート装置Ａは、以下に述べる作用を奏する。
水上に設置された網場ｂの途中において該網場ｂを長さ方向に分断し、これら網場ｂ，ｂの端部に、図１および図２に示すように、接続枠体１における一側枠１ａ，１ｂに付設した接続金具５７を繋いで水面に通船し得る通路ｄ（ゲート部）を形成してあって、この通路ｄに通船ゲート装置Ａが取り付けられている。
この通路ｄ（ゲート部）内の船体ｃの通行にあっては、通船ゲート装置Ａにその一側（例えば、上流側）から近接した船体ｃは、その船体ｃの進行方向先端部ｃ１を受動体２５に当接させる。
このとき、一対の扉体２ａ，２ｂにはそれぞれ押圧体３ａ，３ｂがそれらの最前側に設けられているが、図１１に示すように、他方の扉体２ｂに設けた受動体２５が水面部９より上方に位置して、かつ、船体ｃの進行方向先端部ｃ１が押圧体３ａ，３ｂに当接する船体ｃの側部より最前部に張り出した状態の位置あるため、まず、この受動体２５へ先に船体ｃの進行方向先端部ｃ１が当たる。
【００３８】
そして、更に船体ｃが進行すると、その先端部ｃ１が該船体ｃの進行側に位置する受動体２５を、図７において矢印ｐの方向へ押すので、第一リンク３６および第二リンク４２が折り畳まり、移動体２７に固着された操作体３９を戻し部材４５のばね力に抗して下方へ押し出すため、これにより、図７に示すように、移動体２７は上支持部材４０および下支持部材４０ａを摺動して下がる。すると、この移動体２７の降下に伴って、回動軸４７により取り付けられた第一係合部材４６が傾斜状態から略水平状態となることで、この第一係合部材４６に付設した第二係合部材４８が上方に持ち上がった傾斜状態となり、そのため、係止突体２９との係合が解除されて、一対の扉体２ａ，２ｂの回動が自由に行えるようになる。
【００３９】
この状態で、更に船体ｃが進行すると、該船体ｃの側部（舷側）が、図２に示すように、一対の扉体２ａ，２ｂに設けられたその一方または両方の受動体３ａ，３ｂに当たってこれを押すもので、これに伴って該一対の扉体２ａ，２ｂは閉扉手段Ｗ，Ｗの力に抗して開き始める。
【００４０】
なお、戻し部材４５による操作体３９の上昇に伴って、第一リンク３６および第二リンク４２が拡開されるので、押圧体３ａ，３ｂは定位置に復帰すると共に、操作体３９と固着した移動体２７の上端部も上昇した定位置に復帰する状態となる。
【００４１】
一対の扉体２ａ，２ｂが開き始めたとき、この一対の扉体２ａ，２ｂには、それぞれ連動手段４が接続されているため、例え、船体ｃの側部（舷側）が一方の受動体３ａ（３ｂ）しか当たらなくても、この連動手段４によって同調し、一対の扉体２ａ，２ｂは同じ開閉度によって回動することができるので、船体ｃは通路ｄの中央を通行することができ、該船体ｃの進行に伴って移動する船体ｃの側部（舷側）の押圧体３ａ，３ｂに対する当接が継続し、この船体ｃの通行に必要な通路ｄが大きく確保される。
このとき、一対の扉体２ａ，２ｂは連動手段４により同調して確実に全開状態となるので、双胴船等の幅広の船体ｃであってもその通行が可能となる。
【００４２】
この通路ｄを船体ｃが通過して通船ゲート装置Ａから離れ、一対の扉体２ａ，２ｂの押圧体３ａ，３ｂに対する船体ｃの側部（舷側）の当接が解消されると、この一対の扉体２ａ，２ｂは、閉扉手段Ｗ，Ｗによっておよび該一対の扉体２ａ，２ｂに接続された連動手段４によって同調した閉塞角度により閉塞方向へ回動を始める。
【００４３】
したがって、一対の扉体２ａ，２ｂの閉塞最終間際にあっては、該一対の扉体２ａ，２ｂは接続枠体１の横枠６上近傍に位置しているもので、続いて、この一対の扉体２ａ，２ｂの連結（施錠）が確実に行われる操作がなされる。
すなわち、図９（ａ）に示すように、連動手段４により閉塞状態に至る一対の扉体２ａ，２ｂは、その閉塞移動に伴って、一方の扉体２ｂに設けた係合体２８における跳ね上げ部材５１の下面５１ａと他方の扉体２ａに設けた係止突体２９の上端部５０とが当接する。
更に、一対の扉体２ａ，２ｂの閉塞移動が進行すると、図９（ｂ）に示すように、前記下面５１ａと上端部５０との当接により跳ね上げ部材５１が回動軸４７を中心として上方に回動してその自由端側が持ち上がる。
【００４４】
そして、一対の扉体２ａ，２ｂの閉塞直前状態になると、図９（ｃ）に示すように、上方へ持ち上がった、すなわち、係止突体２９の上端部５０より上方に回動した状態において、第二係合部材４８の間（内部）へ扉体２ａの係止突体２９が入り込むと同時に、係合体２８はその跳ね上げ部材５１の下面５１ａと係止突体２９の上端部５０との係合が外れるので、該係合体２８はその自重により回動軸４７を中心として自動的に回動降下して、係合体２８の第二係合部材４８は係止突体２９を包持して、一対の扉体２ａ，２ｂの回動移動が規制される、いわゆる施錠状態となる。
【００４５】
なお、一対の扉体２ａ，２ｂは、連動手段４を用いない場合もあるもので、この場合、図１２〜図１３および図１６（一方の扉体２ａのみ示す）においてｍ部およびｎ部拡大図に示すように、この一対の扉体２ａ，２ｂに対して、その上部と下部とを接続枠体１の両側枠１ａ，１ｂへ上球面座軸受１ａ２，１ｂ２および下球面座軸受１ａ３，１ｂ３を介して、上支持部材７０ａおよび下支持部材７０ｂに挿嵌させた上回動縦軸１２ａ１，１２ｂ１および下回動縦軸１２ａ２，１２ｂ２によりそれぞれ取り付けてあって、これら上回動縦軸１２ａ１，１２ｂ１および下回動縦軸１２ａ２，１２ｂ２は、これら上回動縦軸１２ａ１，１２ｂ１および下回動縦軸１２ａ２，１２ｂ２を結ぶ軸線Ｘ−Ｘ（図１６参照）に対して、該軸線Ｘ−Ｘを中心としてその３６０゜方向へ三次元的な方向に対して傾斜自在に設けられている。
なお、上回動縦軸１２ａ１，１２ｂ１および下回動縦軸１２ａ２，１２ｂ２の下端部は、ピン等の止着部材７１ａ，７１ｂにより軸線Ｘ−Ｘ方向に対し抜け止めがされている。
【００４６】
これにより、一対の扉体２ａ，２ｂは、その前後および左右方向へ無理なく、該一対の扉体２ａ，２ｂに掛かる力を分散することができて、軸線Ｘ−Ｘ方向においてコジられたり摩擦抵抗を受けたりすること無く容易に回動させることができる。
更には、一対の扉体２ａ，２ｂの支承に、その上下において個別の構成からなる上球面座軸受１ａ２，１ｂ２および下球面座軸受１ａ３，１ｂ３を用いることにより、前記した浮き子部材ｇとの協働によって、常に、安定回動し得る位置に一対の扉体２ａ，２ｂの姿勢を修正させることができる。
【図面の簡単な説明】
【００４７】
【図１】本発明に関する通船ゲート装置の実施例を示す正面図である。
【図２】図１における通船ゲート装置の平面図である。
【図３】図１における通船ゲート装置の押圧体部の要部を示す一部の正面図である。
【図４】図３における通船ゲート装置の押圧体部の要部を示す平面図である。
【図５】図１における通船ゲート装置の連動手段の一例を示す要部の正面図である。
【図６】図５における通船ゲート装置の連動手段の他の例を示す要部の正面図である。
【図７】図１における通船ゲート装置の操作手段の概略を示す説明図である。
【図８】図１における通船ゲート装置の施錠・開錠手段の作動状態を正面側から示す説明図である。
【図９】図１における通船ゲート装置の施錠・開錠手段の作動状態を側面側から示す説明図である。
【図１０】図１における通船ゲート装置の閉扉手段の要部を示す一方扉体側の側面図である。
【図１１】図１における通船ゲート装置の押圧体と船体との当接状態を示す側面図である。
【図１２】本発明に関する通船ゲート装置の他の実施例を示す正面図である。
【図１３】図１２における通船ゲート装置を示す平面図である。
【図１４】図１２における通船ゲート装置の操作手段の概略を示す説明図である。
【図１５】図１２における通船ゲート装置の施錠・開錠手段の概略を示す平面図である。
【図１６】図１２における通船ゲート装置の扉体の取付状態を示す要部の正面図である。
【図１７】従来の通船ゲートにおける通行状態を示す説明図である。
【符号の説明】
【００４８】
ｂ…網場．ｃ…船体．ｃ１…進行方向先端部．ｄ…網場．１…接続枠体．１ａ，１ｂ…側枠．２ａ，２ｂ…一対の扉体．３ａ，３ｂ…押圧体．４…連動手段．５…施錠・開錠手段．９…水面部．１２ａ，１２ｂ…回動縦軸．１２ａ１，１２ｂ１…上回動縦軸．１２ａ２，１２ｂ２…下回動縦軸．１ａ２，１ｂ２…上球面座軸受．１ａ３，１ｂ３…下球面座軸受．Ｘ−Ｘ…軸線．１５ａ，１５ｂ…縦支持体．２５…受動体．２６…操作手段．２７…移動体．２８…係合体．２９…係止突体．５１…跳ね上げ部材．６０ａ，６０ｂ…取付部材．ｇ…浮き子部材．
【図１】
0003618739.tif 000002
【図２】
0003618739.tif 000003
【図３】
0003618739.tif 000004
【図４】
0003618739.tif 000005
【図５】
0003618739.tif 000006
【図６】
0003618739.tif 000007
【図７】
0003618739.tif 000008
【図８】
0003618739.tif 000009
【図９】
0003618739.tif 000010
【図１０】
0003618739.tif 000011
【図１１】
0003618739.tif 000012
【図１２】
0003618739.tif 000013
【図１３】
0003618739.tif 000014
【図１４】
0003618739.tif 000015
【図１５】
0003618739.tif 000016
【図１６】
0003618739.tif 000017
【図１７】
0003618739.tif 000018